(57)【特許請求の範囲】
【請求項１】
医療用流体ラインの管状フィッティング（Ｉ、ＩＶ、Ｖ）であって、内部に中空本体（１）の一端においてアクセス可能な雄コネクタ（２）および前記中空本体（１）の他端においてアクセス可能な雌コネクタ（３）が同軸上に収容される前記中空本体（１）と、前記雄コネクタ（２）の前記中空本体（１）に対する、前記雄コネクタ（２）とこれに結合されるべき相補的雌コネクタとのねじ込みに一致する方向（Ｆ）への回転をロックし、かつ前記雄コネクタ（２）による反対方向への自由回転を可能にするための、対応する突出歯（１３）と連携するラチェット歯（１２）を備える、第１の一方向結合手段と、前記雌コネクタ（３）の前記中空本体（１）に対する、前記雌コネクタ（３）とこれに結合されるべき相補的雄コネクタとのねじ込みに一致する方向への回転をロックし、かつ前記雌コネクタ（３）による反対方向への自由回転を可能にするように提供される、対応する突出歯（１８）と連携するラチェット歯（１７）を備える、第２の一方向結合手段と、を備え、
第１のロック手段（１４、１６）は、前記雄コネクタ（２）および雌コネクタ（３）の一方の前記中空本体（１）に対する前記反対方向の回転をロックすべく操作されるように設計され、
第２のロック手段（１９、２１）は、前記雌コネクタ（３）および雄コネクタ（２）のもう一方の前記中空本体（１）に対する前記反対方向の回転をロックすべく操作されるように設計され、
前記第１および第２のロック手段は、各々、前記雄コネクタ（２）及び前記雌コネクタ（３）の対応する外周歯（１６、２１）と、係合するように設計される前記中空本体（１）の個々の弾性屈曲性セグメント（１４、１９）を備えることを特徴とする管状フィッティング（Ｉ、ＩＶ、Ｖ）。
【請求項２】
前記雄および雌コネクタ（２、３）は、Ｏリング（１０）の介在によって相互回転式に結合されることを特徴とする、請求項１に記載のフィッティング。
【請求項３】
前記雄および雌コネクタ（２、３）は、互いに連通してフィッティング（Ｉ、Ｖ）を介する開放流路を画定することを特徴とする、請求項１に記載のフィッティング。
【請求項４】
前記雄および雌コネクタ（２、３）間の連通は遮断されることを特徴とする、請求項１に記載のフィッティング。
【請求項５】
前記雄および雌コネクタ（２、３）のうちの少なくとも一方は、前記フィッティング（ＩＶ）を介する流れを閉鎖するための横方向の仕切り（２０；２１）を有することを特徴とする、請求項４に記載のフィッティング。
【請求項６】
前記雄コネクタ（２）は、バルブコネクタであることを特徴とする、請求項１乃至５のいずれか１項に記載のフィッティング。
【請求項７】
前記雄コネクタ（２）は、インレット（２３）、管状部材（２２）を包囲する弾性中空エレメント（２４）、および前記管状部材（２２）の前記インレット（２３）を閉鎖しかつプレカット（２６）を伴って形成される端壁（２５）を有する管状部材（２２）と、前記プレカット（２６）を開放すべく弾性中空エレメント（２４）の引張り応力を生じさせるように軸方向へ変位可能なカラー（２７）とを備えることを特徴とする、請求項６に記載のフィッティング。
【請求項８】
前記雌コネクタ（３）は、バルブコネクタであることを特徴とする、請求項１乃至７のいずれか１項に記載のフィッティング。
【請求項９】
前記雌コネクタ（３）は、プレカット（３１）を伴って形成される弾性ヘッド（３０）を有する中間的なシール部材（２９）内へ軸方向に配置される内部中空ピン（２８）と、前記中空ピン（２８）と密封接触する弾性中空エレメント（３２）と、前記弾性ヘッド（３０）を前記プレカット（３１）の閉鎖状態に保持する傾向がある弾性スラスト部（３３）とを備えることを特徴とする、請求項８に記載のフィッティング。
【発明の詳細な説明】
【技術分野】
【０００１】
本発明は、概して医療用流体ライン、例えば、血液透析ライン、化学療法ラインおよびこれらに類似するものに関する。
【背景技術】
【０００２】
このような流体ラインは、通常、その経路に沿ってラインの様々なコンポーネント間を接続するためのコネクタ、即ち典型的には、雄および雌ルアーロック・コネクタおよびこれらに類似するもの、が装着される。偶発的な、または誤った操作によるこれらのコネクタ間の離脱は、ラインを使用する間に繋がっている患者にとって重大な結果をもたらす可能性がある。
【発明の概要】
【発明が解決しようとする課題】
【０００３】
本発明の目的は、この問題に対して、安全かつ効果的であり、同時に実用的かつ機能的でもあるソリューションを提供することにある。
【課題を解決するための手段】
【０００４】
本発明によれば、この目的は、中空本体を備える医療用流体ラインのフィッティングによって達成され、前記中空本体の内部には、本体の一端においてアクセス可能な雄コネクタおよび本体の他端においてアクセス可能な雌コネクタが同軸上に収容される。フィッティングは、雄コネクタの回転を本体に対してラインの前記雄コネクタと相補的雌コネクタとの間のねじ込みに一致する方向にロックして、雄コネクタが反対方向へ自由に回転できるようにするための第１の一方向結合手段と、雌コネクタの回転を本体に対してラインの前記雌コネクタと相補的雄コネクタとの間のねじ込みに一致する方向にロックして、雌コネクタが反対方向へ自由に回転できるようにするための第２の一方向結合手段とを備える。
【０００５】
このソリューションによる考案によって、本発明によるフィッティングは、効果的なことには、医療用流体ラインの雄コネクタと雌コネクタとを安全に接続するための中間エレメントの形式で使用可能である。したがって、実際には、これらのコネクタは、互いに直に接続される代わりに、本発明によるフィッティングによって間接的に接続され、これにより、ラインのコネクタ間の偶発的な分離または間違った操作によって医療用ラインに望ましくない開口が生じる危険性に対して必要な安全度が保証される。
【０００６】
本発明のさらなる効果的な特性によれば、本体に対する前述の反対の回転方向への各々雄コネクタおよび／または雌コネクタの回転をロックすべく確実に作動するように設計される、第１および／または第２のロック手段も提供されることが可能である。
【０００７】
本発明によるフィッティングにおいて、雄および雌コネクタは、フィッティングを介する流路を画定すべく互いに連通し合うことが可能であり、または、雄および雌コネクタ間の連通は、塞がれることが可能である。
【０００８】
さらに、本発明の特に効果的な実施形態によれば、雌コネクタは、バルブコネクタであってもよく、かつ雄コネクタも、バルブコネクタであってもよい。
【図面の簡単な説明】
【０００９】
【図１】図１は、本発明の第１の実施形態による医療用流体ラインのフィッティングを示す略斜視図である。
【図２】図２は、このフィッティングの側立面図である。
【図３】図３は、図２の線ＩＩＩ−ＩＩＩに沿った軸方向断面図である。
【図４】図４は、図２の線ＩＶ−ＩＶに沿った断面図である。
【図５】図５は、図３の線Ｖ−Ｖに沿った断面図である。
【図６】図６は、図２の線ＶＩ−ＶＩに沿った断面図である。
【図７】図７は、図３の線ＶＩＩ−ＶＩＩに沿った断面図である。
【図８】図８は、本発明によるフィッティングの第２の実施形態を示す側立面図である。
【図９】図９は、図８の線Ｃ−Ｃに沿った軸方向断面図である。
【図１０】図１０は、図８の線Ｂ−Ｂに沿った断面図である。
【図１１】図１１は、図８の線Ａ−Ａに沿った断面図である。
【図１２】図１２は、図９の線Ｄ−Ｄに沿った断面図である。
【図１３】図１３は、図９の線Ｅ−Ｅに沿った断面図である。
【図１４】図１４は、本発明によるフィッティングの第３の実施形態を示す側立面図である。
【図１５】図１５は、図１４の線Ｃ−Ｃに沿った軸方向断面図である。
【図１６】図１６は、図１４の線Ｂ−Ｂに沿った断面図である。
【図１７】図１７は、図１４の線Ａ−Ａに沿った断面図である。
【図１８】図１８は、図１５の線Ｄ−Ｄに沿った断面図である。
【図１９】図１９は、図１５の線Ｅ−Ｅに沿った断面図である。
【図２０】図２０は、本発明によるフィッティングの第４の実施形態を示す側立面図である。
【図２１】図２１は、図２０の線Ｃ−Ｃに沿った軸方向断面図である。
【図２２】図２２は、図２０の線Ｂ−Ｂに沿った断面図である。
【図２３】図２３は、図２０の線Ａ−Ａに沿った断面図である。
【図２４】図２４は、図２１の線Ｄ−Ｄに沿った断面図である。
【図２５】図２５は、図２１の線Ｅ−Ｅに沿った断面図である。
【図２６】図２６は、本発明によるフィッティングの第５の実施形態を示す略斜視図である。
【図２７】図２７は、図２６のフィッティングの端面図である。
【図２８】図２８は、図２７の線Ａ−Ａに沿った断面図である。
【図２９】図２９は、図２８の線Ｂ−Ｂに沿った断面図である。
【発明を実施するための形態】
【００１０】
次に、純粋に非限定的な例として提供される添付の図面を参照して、本発明を詳細に説明する。
まず、図１から図７までを参照すると、本発明の第１の実施形態によるフィッティングは、Ｉで示されていて、管状である。これは、略円筒形状の外部中空本体１を備え、その内部に、ルアーロック型およびこれに類似する雄コネクタ２、およびルアーロック型およびこれに類似する雌フィッティング３が同軸上の反対方向に収容される。
【００１１】
コネクタ２およびコネクタ３は、本体１に対しかつ互いに対して後に論じる限度を有して回転可能式に取り付けられ、かつ概して、従来的形状を有する。詳細には、雄コネクタ２は、本体１の一端から突き出す、円錐形外面を有する内側の管状エレメント４と、中空の付属物６と共に本体１の内側へ向かって延びる、内側へねじ切りされた外側の中空エレメント５とを備える。
【００１２】
雌コネクタ３は、本体１の他端から突き出す、円錐形の内面を有する外側にねじ切りされた管状エレメント７より成り、かつこの管状エレメント７は、雄コネクタ２の中空の付属物６内に回転可能に挿入されるシャンク９で終わる付属物８と一体式に形成される。
【００１３】
コネクタ２およびコネクタ３は、２つの半殻が互いにインターロック式に結合されて便宜的に形成される本体１の内部で軸方向へロックされ、かつシャンク９と中空の付属物６との間には、Ｏリングシール１０が置かれる。
【００１４】
雄コネクタ２および雌コネクタ３は、本発明によるコネクタを介する自由流路を画定し、かつ使用中は、各々、医療用ラインの相補的な雌コネクタへ、および相補的な雄コネクタへ結合されることが意図されている。
【００１５】
雄コネクタ２の中空の付属物６および雌コネクタ３の付属物８は、中空本体１の内部で軸方向にロックされ、かつ一方向に回転して中空本体１と結合され、かつ通常、反対方向へ自由に回転可能である。しかしながら、後に明らかとなるように、おそらくは反対方向への回転もロックされることがあるが、手動で与えられる肯定的コマンドに従う場合に限られる。
【００１６】
詳細には、かつここで図４および図５を参照すると、雄コネクタ２の側の中空本体１の内部は、雄コネクタ２の中空エレメント５の外側に形成される対応する突出歯１３と一方向結合によって共働する弾性屈曲性のラチェット歯１２によるクラウンの形状にされる。このような配置により、中空エレメント５、延いては雄コネクタ２全体は、歯１２と歯１３との係合効果により、中空本体１と、図５における矢印Ｆが示す方向へ回転式に結合される。回転方向Ｆは、中空本体１が静止状態に保たれることを仮定した雄コネクタ２と相補的雌コネクタとの間のねじ込みに一致し、次に、相補的雌コネクタが回転によって雄コネクタ２にねじ込まれる。反対の回転方向、またはどちらかと言えばねじって外す方向では、雄コネクタ２は、歯１３上での屈曲歯１２の跳返りにより中空本体１に対して自由に回転可能であり、よって、相補的雌コネクタ自体でねじ込みを外すことはできない。
【００１７】
明らかに、中空本体１が回転して相補的雌コネクタが静止状態に保たれる場合は状況が逆転し、即ち、ねじ込み方向は、矢印Ｆの方向の反対であり、ねじ込みを外す方向が矢印Ｆの方向になる。
【００１８】
この方法では、使用中の雄コネクタ２と相補的雌コネクタとの間の偶発的離脱または誤った操作が防止される。しかしながら、ねじって外すことが許容される可能性もあるが、それは、先に述べたように、肯定的な操作の結果でしかない。この趣旨で、中空本体１の壁は、１対の弾性屈曲性ロックセグメント１４を伴って形成されてもよく、その自由端１５は、本体１に対する雄コネクタ２の回転をロックすべく、セグメント１４に印加されるスラストの結果として中空の付属物６（図４）の個々の外周歯形成物１６に係合することに適する。
【００１９】
同様に、かつ図６および図７を参照すると、雌コネクタ３は、通常は反対方向、即ちねじ込みを外す方向に自由に回転可能な中空本体１を静止状態に保持して、この雌コネクタ３と相補的雄コネクタとのねじ込み方向に一致する図７の矢印Ｇが示す方向へ中空本体１と回転式に結合される。この趣旨で、中空本体１は、屈曲歯１２に類似する、付属物８の最初の部分の外側に形成される対応する突出歯１８と一方向結合により共働するさらなる一連の弾性屈曲性ラチェット歯１７を伴って形成される。この場合、雌コネクタ３の中空本体１に対する、矢印Ｇが示す方向とは反対方向への回転をロックする可能性のために、手動による肯定的コマンドも伝えられるべきであり、よってこの趣旨で、中空本体１は、屈曲性ロックセグメント１４に類似する、その自由端２０が付属物８（図６）の個々の外周歯形成物２１に係合することに適するさらなる１対の弾性屈曲性ロックセグメント１９を伴って形成されることが可能である。
【００２０】
使用の間、本発明によるフィッティングは、効果的には、医療用流体ラインの雌コネクタと雄コネクタとを結合するための中間的な安全エレメントのように動作し、既に述べたように、雄コネクタ２および雌コネクタ３を直に接続する代わりに、これらの各々へ接続される。したがって、この接続によって、ラインの雌コネクタと雄コネクタ２との分離が全く起こり得ないこと、または全くではないにしても、弾性屈曲性セグメント１４がもしあれば、これを手動で押さない限り自発的に動作され得ず、かつ同様に、ラインの雄コネクタと雌コネクタ３との分離も恐らくは、弾性屈曲性セグメント１９がもしあれば、これを押さない限り達成され得ないことから、医療用ラインの偶発的な、または誤った操作による開放は、確実に防止される。
【００２１】
本発明によるフィッティングのさらなる実施形態は、等しい、または同様のパーツに同じ参照数字（例示を単純にするために、一部を省略）を用いて以下に詳述する相違点のみが、既に述べた実施形態と相違する。
【００２２】
図８−図１３に示されている変形例において、全体としてＩＩで示される、この場合も管状であって開放型フローラインを画定するフィッティングは、本質的に、外部本体１に屈曲性ロックセグメント１４および／または１９がないという事実によってのみ、図１−図７のフィッティングＩとは異なる。したがって、フィッティングＩＩは、雄コネクタ２および／または雌コネクタ３による、相対的な相補的雌コネクタおよび雄コネクタからの自発的なねじ外しを許容しない。
【００２３】
図１４−図１９に示されている変形例において、全体としてＩＩＩで示されるフィッティングは、フィッティングＩＩに類似するものであるが、唯一、これが管状でなく、どちらかと言えば２つのコネクタ２および３の間に開放流路を画定していないという事実が相違点である。２つのコネクタ間の連通は、永久的に遮断され、即ち、この趣旨で、雌コネクタ３は、横方向の閉塞する仕切り２０（図２１）を有する。
【００２４】
図２０−図２５に示されている変形例において、全体としてＩＶで示されるフィッティングは、接続部Ｉに類似するものであるが、唯一、これも２つのコネクタ２および３の間に開放流路を画定せず、よってその連通が遮断されるという事実が相違点である。この場合、雄コネクタ２の内側のエレメント４は、横方向の仕切り２１（図２１）によって閉鎖される。
【００２５】
図２６−図２９に示されている変形例において、全体としてＶで示されるフィッティングは、管状であり、かつ雄コネクタ２および雌コネクタ３は、洗浄可能（「拭き取り可能」）タイプのバルブコネクタである。
【００２６】
具体的には、雄バルブコネクタ２は、同じ出願人による文書ＵＳ−２０１２／０２７１２４６に記述されているものに略一致し、簡単に言えば、これは、中空本体１の一端から突き出すインレット２３と、管状部材２２を包囲する弾性中空エレメント２４と、通常はインレット２３を閉鎖しかつプレカット２６を伴って形成される端壁２５とを有する管状部材２２を備える。カラー２７は弾性中空エレメント２４の一部を包囲し、バルブコネクタ２と相補的雌コネクタとの結合効果によって軸方向へ移動可能であり、弾性中空エレメント２４の引張り歪およびプレカット２６の開放、延ては管状部材２２を介する流路が誘発される。
【００２７】
雌コネクタバルブ３は、同じ出願人による文書ＵＳ−２００９／０２９２２７４に記述されているものに略一致し、簡単に言えば、これは、中間的なシール部材２９内へ軸方向に配置される内部中空ピン２８を備え、中間的なシール部材２９は、プレカット３１を有する弾性ヘッド３０を伴って形成され、弾性中空エレメント３２は、中空ピン２８と密封接触し、かつ弾性スラスト部３３は、弾性ヘッド３０をプレカット３１の閉鎖状態に保持する傾向がある。雌コネクタ３が相補的雄コネクタへ結合されると、弾性ヘッド３０が変形され、プレカット３１、延ては中空ピン２８を介する流路が開放される。
【００２８】
この配置により、通常、フィッティングＶを介する流路は閉鎖され、バルブコネクタ２および３の一方および／または他方の開放によってのみ開く。
【００２９】
この実施形態においても、雄バルブフィッティング２および雌バルブフィッティング２３は、各々、個々の一方向ラチェット１２、１３および１７、１８を介してケーシング１とねじ込み方向へのみ回転式に結合され、かつ反対側のねじ込みを外す方向に自由に回転可能である。これらもまた、おそらくは自発的にねじ込みを外す方向でも本体１と回転を一体化される可能性があり、先に述べた他の実施形態と同様に、本体１の弾性屈曲性セグメント１４、１９が存在すれば、これらに作用する。
【００３０】
当然ながら、構造および実施形態の詳細は、以下のクレームにおいて規定される本発明の範囲を逸脱することなく、本明細書に記載されかつ例示されているものから広範に変更されてもよい。例えば、フィッティングＶの場合、バルブコネクタ２、３のうちの一方または他方は、非バルブ状のフィッティングに替えられる可能性もある。
【図１】
0006463782.tif 000002
【図２】
0006463782.tif 000003
【図３】
0006463782.tif 000004
【図４】
0006463782.tif 000005
【図５】
0006463782.tif 000006
【図６】
0006463782.tif 000007
【図７】
0006463782.tif 000008
【図８】
0006463782.tif 000009
【図９】
0006463782.tif 000010
【図１０】
0006463782.tif 000011
【図１１】
0006463782.tif 000012
【図１２】
0006463782.tif 000013
【図１３】
0006463782.tif 000014
【図１４】
0006463782.tif 000015
【図１５】
0006463782.tif 000016
【図１６】
0006463782.tif 000017
【図１７】
0006463782.tif 000018
【図１８】
0006463782.tif 000019
【図１９】
0006463782.tif 000020
【図２０】
0006463782.tif 000021
【図２１】
0006463782.tif 000022
【図２２】
0006463782.tif 000023
【図２３】
0006463782.tif 000024
【図２４】
0006463782.tif 000025
【図２５】
0006463782.tif 000026
【図２６】
0006463782.tif 000027
【図２７】
0006463782.tif 000028
【図２８】
0006463782.tif 000029
【図２９】
0006463782.tif 000030